(57)【要約】    【課題】重心が低くて安定し、支持手段の設置スペースが小さく、装置全体をコンパクトに収納したり、携帯したりすることができ、表示手段の傾斜角度の調整範囲を従来よりも大きくする。    【解決手段】表示画面としての前面と該前面の反対側にある背面１１１を有する表示手段１１と、表示手段１１を支持する支持手段１２とを備える。支持手段１２は、左右両支持脚１２１１の上端部を表示手段１１に前後回動可能に連結した第１脚フレーム１２１と、左右両支持脚１２２１を第１脚フレーム１２１の左右両支持脚１２１１に互いに交差するように開閉可能に連結した第２脚フレーム１２２とからなる。表示手段１１は、第１脚フレーム１２１と第２脚フレーム１２２を開脚状態にした支持手段１２により支持可能である。【選択図】図１
0003117675.tif 000002
【実用新案登録請求の範囲】
【請求項１】
表示画面としての前面と該前面の反対側にある背面を有する表示手段と、該表示手段を支持する支持手段とを備えた表示装置において、
前記支持手段は、左右両支持脚の上端部を前記表示手段に前後回動可能に連結した第１脚フレームと、左右両支持脚を前記第１脚フレームの左右両支持脚に互いに交差するように回動可能に連結した第２脚フレームとからなり、
前記表示手段は、前記第１脚フレームと前記第２脚フレームを開脚状態にした前記支持手段により支持可能であることを特徴とする表示装置。
【請求項２】
表示画面としての前面と該前面の反対側にある背面を有する表示手段と、該表示手段を支持する支持手段とを備えた表示装置において、
前記背面に、突出部と、該突出部の両側から下方に向かって並設される複数の第１係合部材とをそれぞれ形成し、
前記支持手段は、左右両支持脚の上端部を、前記突出部よりも高い位置で、前記表示手段に前後回動可能に連結した第１脚フレームと、左右両支持脚を、前記第１脚フレームの左右両支持脚と互いに交差するように開閉可能に連結し、前記第１係合部材のいずれかと係合する第２係合部材を備えた第２脚フレームとからなり、
前記表示手段は、前記第１脚フレームと前記第２脚フレームを開脚状態にした前記支持手段により支持し、前記第１係合部材と前記第２係合部材の係合により所定角度に維持したことを特徴とする表示装置。
【請求項３】
前記第１係合部材は、前記表示手段の背面に形成した孔であり、
前記第２係合部材は、前記第２脚フレームの左右両支持脚の上端面に形成され、前記孔に係止可能な突出部であることを特徴とする請求項２に記載の表示装置。
【請求項４】
前記第１脚フレームの左右両支持脚の下端部は前方へ曲がり、前記第２脚フレームの左右両支持脚の下端部は後方へ曲がることにより、
前記支持手段が閉脚状態であっても、前記表示手段を支持して起立可能となっていることを特徴とする請求項２又は３に記載の表示装置。
【請求項５】
前記第１脚フレームの左右両支持脚と前記突出部とは、取外及び回転可能な枢軸により連結したことを特徴とする請求項４に記載の表示装置。
【考案の詳細な説明】
【技術分野】
【０００１】
本考案は、表示画面としての前面と該前面の反対側にある背面を有する表示手段と、該表示手段を支持する支持手段とを備えた表示装置に関し、特に前記表示手段が前記支持手段に対して回動可能である表示装置に関する。
【背景技術】
【０００２】
従来、表示装置として、液晶ディスプレイやプラズマディスプレイ、タッチパネル、平面ＣＲＴ等の薄型のものが公知である。
【０００３】
この種の薄型の表示装置９として、例えば、次のような構成の液晶ディスプレイがある。すなわち、図４に示すように、表示画面としての前面（図示せず）及びこの前面の反対側にある背面９１１を有する表示手段９１と、ヒンジ手段９３を介して上端部で表示手段９１を背面から支持するＬ字形の支持手段９２とを備えた構成の液晶ディスプレイである。この液晶ディスプレイでは、ヒンジ手段９３は、前記支持手段９２の上端縁のほぼ中央部分から突出する突起９３２と、前記表示手段９１の背面の中央よりも低い位置から前記突起９３２を左右から挟むように突出し、ピン９３３で前記突起９３２に回転可能に連結される一対の突起９３１，９３１とから構成されている。そして、ヒンジ手段９３の回り対偶操作により表示手段９１の傾斜角度を調整することが可能となっている。
【０００４】
しかしながら、前記構成の表示装置９では、ヒンジ手段の回り対偶操作だけで表示手段９１の傾斜角度を調整しているため、表示手段９１の重量が大きいと、傾斜角度の調整が狭い範囲に限られるという問題がある。しかも、表示装置全体の重心が高くて不安定になるという問題もある。ところが、表示手段９１の支持状態を安定させるため、支持手段９２の設置スペースを大きくすると、表示手段９１が薄型であることの効果が相殺され、占有スペースが大きくなるという新たな問題が発生する。
【考案の開示】
【考案が解決しようとする課題】
【０００５】
そこで、本考案は、前記問題点に鑑み、構成全体の重心が低くて安定した状態で設置することのできる表示装置を提供することを第１の目的とする。
【０００６】
また、支持手段の設置スペースが小さく、装置全体をコンパクトに収納したり、携帯したりすることのできる表示装置を提供することを第２の目的とする。
【０００７】
また、表示手段の傾斜角度の調整範囲が従来よりも大きい表示装置を提供することを第３の目的とする。
【課題を解決するための手段】
【０００８】
前記第１及び第２の目的を達成するために、本考案は、表示画面としての前面と該前面の反対側にある背面を有する表示手段と、該表示手段を支持する支持手段とを備えた表示装置において、前記支持手段は、左右両支持脚の上端部を前記表示手段に前後回動可能に連結した第１脚フレームと、左右両支持脚を前記第１脚フレームの左右両支持脚に互いに交差するように開閉可能に連結した第２脚フレームとからなり、前記表示手段は、前記第１脚フレームと前記第２脚フレームを開脚状態にした前記支持手段により支持可能としたものである。
【０００９】
また、前記第３の目的をも達成するために、本考案は、表示画面としての前面と該前面の反対側にある背面を有する表示手段と、該表示手段を支持する支持手段とを備えた表示装置において、前記背面に、突出部と、該突出部の両側から下方に向かって並設される複数の第１係合部材とをそれぞれ形成し、前記支持手段は、左右両支持脚の上端部を、前記突出部よりも高い位置で、前記表示手段に前後回動可能に連結した第１脚フレームと、左右両支持脚を、前記第１脚フレームの左右両支持脚と互いに交差するように回動可能に連結し、前記第１係合部材のいずれかと係合する第２係合部材を備えた第２脚フレームとからなり、前記表示手段は、前記第１脚フレームと前記第２脚フレームを開脚状態にした前記支持手段により支持し、前記第１係合部材と前記第２係合部材の係合により所定角度に維持したものである。
【００１０】
前記第１係合部材は、前記表示手段の背面に形成した孔であり、前記第２係合部材は、前記第２脚フレームの左右両支持脚の上端面に形成され、前記孔に係止可能な突出部であるのが好ましい。
【００１１】
前記第１脚フレームの左右両支持脚の下端部は前方へ曲がり、前記第２脚フレームの左右両支持脚の下端部は後方へ曲がることにより、前記支持手段が閉脚状態であっても、前記表示手段を支持して起立可能となっているのが好ましい。
【００１２】
前記第１脚フレームの左右両支持脚と前記突出部とは、取外及び回転可能な枢軸により連結するのが好ましい。
【考案の効果】
【００１３】
本考案によれば、表示手段は、開脚した第１脚フレームと第２脚フレームとにより支持できるので、表示装置全体の重心を低くして安定させることができる。また、占有スペースもかなり小さいため、装置全体の薄型化・軽量化に有利である。しかも、支持手段を閉脚状態として収納したり、携帯したりできるので、非常に便利である。
【００１４】
また、第１係合部材と第２係合部材との係合により、表示手段を所望の角度に維持できるので、従来よりも広い範囲で傾斜角度を変更することができる上、表示手段を安定した状態で支持するが可能となる。
【考案を実施するための最良の形態】
【００１５】
以下、図面を参照しつつ本考案の実施形態について説明する。なお、各図面では同一部分には同一符号を付している。
【００１６】
図１は、本考案の好適な実施形態の表示装置の分解斜視図である。図２は、該実施形態のその支持手段が閉脚している時の背面図である。図３は、該実施形態のその支持手段が開脚している時の側面図である。
【００１７】
図１及び図２に示すように、この表示装置１は、主として表示画面としての前面（図示せず）と該前面の反対側にある背面１１１を有する表示手段１１と、該表示手段１１を支持する支持手段１２とを備えている。
【００１８】
前記背面１１１のほぼ中央位置には突出部１１２が形成されている。また、突出部１１２の左右両側の前記中央位置から下方に向かって複数の第１係合部材１１３、１１３…が並設されている。
【００１９】
支持手段１２は、第１脚フレーム１２１と第２脚フレーム１２２とからなる。第１脚フレーム１２１は、左右両支持脚１２１１、１２１１を有する。左右両支持脚１２１１、１２１１の上端近傍と突出部１１２の前記中央位置より上方部分とが回動可能に連結され、表示手段１１は前後回動可能に支持されている。第２脚フレーム１２２は、左右両支持脚１２２１、１２２１を有する。左右両支持脚１２２１、１２２１は、第１脚フレーム１２１の左右両支持脚１２１１、１２１１と互いに交差するように開閉可能に連結されている。左右両支持脚１２２１、１２２１の上端近傍には第２係合部材１２３が形成されている。第２係合部材１２３は、前記第１係合部材１１３、１１３…のいずれかと係合可能となっている。
【００２０】
詳細には、第１係合部材１１３は、表示手段１１の背面１１１に形成した孔１１３Ａである。第２係合部材１２３は、第２脚フレーム１２２の左右両支持脚１２２１、１２２１の上端面から突出し、孔１１３Ａに係止可能となっている。これにより、表示手段１１は、図３に示すように、第１脚フレーム１２１と第２脚フレーム１２２を開脚状態とした支持手段１２により支持される。また、第１係合部材１１３、１１３…から選択したいずれか一つと第２係合部材１２３とを係合することにより、表示手段１１を所望の角度に傾斜させることが可能となっている（例えば、第１係合部材１１３、１１３…に対する第２係合部材１２３の係合位置を、第１脚フレーム１２１と第２脚フレーム１２２の上端位置が同一水平面内に位置する位置とすると、表示手段１１の傾斜角度を水平状態にすることができる。）。このように、前記構成による表示装置１では、使用者の姿勢や、床又は机上などの設置場所及びその使用条件に十分対応して表示手段１１の傾斜角度を最適な値に調整することが可能である。
【００２１】
なお、前記実施形態において、第１脚フレーム１２１の左右両支持脚１２１１、１２１１と突出部１１２とは、取外及び回転可能に取り付けた枢軸１２４、１２４により連結されている。したがって、枢軸１２４、１２４を取り外し、突出部１１２から第１脚フレーム１２１を分離して、表示手段１１と支持手段１２とに分解することができる。これにより、表示手段１１を、突出部１１２の背面に形成した一対の引っ掛け用の孔１１２１により個別的に壁に固定したフックなどに掛けることができる。また、表示手段１１と支持手段１２とを別々に搬送したり、収納したりすることも可能となる。
【００２２】
また、前記実施形態において、図２に示すように、第１脚フレーム１２１における左右両支持脚１２１１、１２１１の下端部１２１２、１２１２はいずれも前方に曲げられ、第２脚フレーム１２２における左右両支持脚１２２１、１２２１の下端部１２２２、１２２２はいずれも後方に曲げられているので、支持手段１２が閉脚状態であっても、表示手段１１を倒れることなく支持することができる。
【００２３】
本考案は前述実施形態に限定されるものではなく、本考案の要旨を逸脱しない範囲において種々の変形が可能である。
【産業上の利用可能性】
【００２４】
本考案の表示装置によれば、その構成全体の重心が低くて安定している上、支持手段の設置スペースが小さく、装置全体をコンパクトに収納したり、携帯したりできると共に、表示手段の傾斜角度を従来よりも広い範囲で調整することが可能である。
【図面の簡単な説明】
【００２５】
【図１】本考案の好適な実施形態を示す表示装置の分解斜視図である。
【図２】図１に示す表示装置の支持手段が閉脚状態での背面図である。
【図３】図１に示す表示装置の支持手段が開脚状態での側面図である。
【図４】従来例に係る表示装置の背面斜視図である。
【符号の説明】
【００２６】
１        表示装置
１１      表示手段
１１１    背面
１１２    突出部
１１２１  引っ掛け用の孔
１１３    第１係合部材
１１３Ａ  孔
１２      支持手段
１２１    第１脚フレーム
１２１１  左右両支持脚
１２１２  下端部
１２２    第２脚フレーム
１２２１  左右両支持脚
１２２２  下端部
１２３    第２係合部材
１２４    枢軸
【図１】
0003117675.tif 000003
【図２】
0003117675.tif 000004
【図３】
0003117675.tif 000005
【図４】
0003117675.tif 000006